(57)【要約】【課題】低コストで高品質印刷ができる印刷装置を提供する。【解決手段】インクフィルム(11)が第１ボビン(13)と第２ボビン(12)とに、転写フィルム(21)が第３ボビン(22)と第４ボビン(23)とに巻き渡される。転写動作でインクフィルムと転写フィルムとを圧接するプラテンローラ(26)及びサーマルヘッド(16)と、インクフィルムを第１ボビンと第２ボビンとの間で移動する駆動部(KD11)と、を備える。駆動部は、モータ(M11)と、そのトルクを第１ボビンに常に伝達する第１伝達経路部(DK11)及び第１伝達経路部(DK11)から分岐し第２ボビンに選択的に伝達する第２伝達経路部(DK12)を有する。第２伝達経路部は、モータが第１の方向に回転するとき、モータのトルクを、第２ボビンに非伝達とし、第２の方向に回転するとき、第２ボビンに伝達する。【選択図】図９
2016147461.tif 000002
【特許請求の範囲】
【請求項１】
インクフィルムのインクを転写フィルムに転写する転写動作により前記転写フィルムに画像を印刷する印刷装置であって、
前記インクフィルム及び前記転写フィルムのうちの一方のフィルムは、第１のボビンと第２のボビンとに巻き渡され、他方のフィルムは、第３のボビンと第４のボビンとに巻き渡されており、
前記転写動作において、前記インクフィルムと前記転写フィルムとを挟んで圧接するプラテンローラ及びサーマルヘッドと、
前記一方のフィルムを、前記第１のボビンと前記第２のボビンとの間で移動させる駆動部と、を備え、
前記駆動部は、
モータと、
前記モータで発生したトルクを、前記モータの回転方向に応じた回転方向で前記第１のボビンに常に伝達する第１の伝達経路部と、
前記第１の伝達経路部から分岐部で分岐し、前記トルクを前記第２のボビンに選択的に伝達する第２の伝達経路部と、
を有し、
前記第２の伝達経路部は、
前記モータが第１の回転方向に回転するとき、前記トルクを前記第２のボビンに非伝達とし、
前記モータが前記第１の回転方向とは逆の第２の回転方向に回転するとき、前記トルクを前記第２のボビンに伝達するよう構成されている印刷装置。
【請求項２】
前記転写動作において前記モータは第１の回転方向に回転し、前記転写動作を行うための前記インクフィルムと前記転写フィルムの頭出し移動において前記モータは前記第２の回転方向に回転することを特徴とする請求項１記載の印刷装置。
【請求項３】
前記第２の伝達経路部は、ワンウェイクラッチを有し、
前記トルクの非伝達と伝達とを、前記ワンウェイクラッチの動作で選択的に実行するよう構成されていることを特徴とする請求項１又は請求項２記載の印刷装置。
【請求項４】
前記分岐部は、前記第１の伝達経路部に含まれる駆動ギヤと、前記駆動ギヤに歯合し前記第２の伝達経路部に含まれる従動ギヤと、を有して構成され、
前記駆動ギヤの歯数よりも前記従動ギヤの歯数の方が少ないことを特徴とする請求項１〜３のいずれか１項に記載の印刷装置。
【請求項５】
前記第２の伝達経路部は、
前記モータが前記第２の回転方向で回転するとき、前記第２のボビンに伝達される前記トルクの上限を規定するトルクリミッタを有していることを特徴とする請求項１〜４のいずれか１項に記載の印刷装置。
【請求項６】
前記駆動部は前記転写フィルムを移動し、
前記転写フィルムに印刷された前記画像を、被再転写体に再転写する再転写動作を行う再転写部を備えたことを特徴とする請求項１〜５のいずれか１項に記載の印刷装置。
【発明の詳細な説明】
【技術分野】
【０００１】
本発明は、印刷装置に係り、特に、インクフィルムとそのインクフィルムのインクを転写印刷させる被転写フィルムとを、それぞれが巻き渡された供給ボビンと巻き取りボビンとの間で移動させて転写印刷を行う印刷装置に関する。
【背景技術】
【０００２】
帯状のインクフィルム及びインクフィルムのインクを転写印刷させる帯状の被転写フィルムを、それぞれが巻き渡された供給ボビンと巻き取りボビンとの間で移動させて印刷を行う印刷装置が知られており、その一例が特許文献１に記載されている。
【０００３】
特許文献１に記載された印刷装置は、四色のインク層が帯方向に繰り返し塗布されたインクフィルムと、被転写フィルム（特許文献１では中間記録媒体と称される）と、を圧接移動させる。この圧接移動は、四色のインク層それぞれについて、被転写フィルムの同一転写領域（転写フレーム）に対し繰り返し実行する。各移動において、インクはサーマルヘッドで昇温され、印刷する画像に応じたパターンで転写フレームに昇華又は溶融により転写する。これにより、被転写フィルムに所望のカラー画像が形成される。
【０００４】
より詳しくは、インクフィルムを、そのインク層を被転写フィルムに重ねて帯方向に移動させながら、サーマルヘッドをインク層とは反対側の面に圧接して各色のインクを同一の転写フレームに一色ずつ重畳転写し、カラー画像を形成する。
すなわち、各色の転写を実行する度に、サーマルヘッドの離隔，被転写フィルムの一転写フレーム分の巻き戻しと頭出し及びインクフィルムの次色の頭出し，並びにサーマルヘッドの圧接、の各動作を行う。
従って、四色のインクを用いたカラー画像を形成するために、被転写フィルムについて、四回の頭出し動作（三回の巻き戻し動作）を行う。
【０００５】
この印刷装置において、インクフィルム及び被転写フィルムは、それぞれに対応して印刷装置に取り付けられた供給ボビンと巻き取りボビンとからなる一対のボビン間に巻き渡される。
そして、各ボビンに対応して備えられた合計四つのモータの駆動により、インクフィルム及び被転写フィルムは、それぞれ一対のボビン間を送り出し及び巻き取り方向に移動するようになっている。
また、特許文献１に記載された印刷装置は、被転写フィルムに転写印刷された画像を、被再転写体（この例ではカード）に再度転写するための再転写部を備えている。
【先行技術文献】
【特許文献】
【０００６】
【特許文献１】特許第４３３７５８２号公報
【発明の概要】
【発明が解決しようとする課題】
【０００７】
印刷装置は、低コストで高品質の印刷ができることが市場から望まれている。
特許文献１に記載された印刷装置では、四つのモータを備えることから、各モータの動特性の初期ばらつきが大きい場合や、動特性の経時的変化度合が互いに大きく異なってしまう場合、インクフィルム及び転写フィルムのボビン間移動における動特性がアンバランスになり易い。
この動特性がアンバランスになると、インクフィルム及び転写フィルムのボビン間移動において、供給ボビンと巻き取りボビンとの回転トルクに基づいて発生させる張力が足りなくなってフィルムに弛みが生じ、高精度の位置合わせができない、フィルム同士が静電気で貼り付く、などの不具合発生が懸念される。
【０００８】
そのため、特許文献１に記載された印刷装置は、初期の動特性及びその経時変化特性が揃った比較的高コストのモータを選定する必要があった。
また、さらに、四つのモータの駆動を、同時かつ高精度に独立制御できる制御能力の高い制御部、を搭載する必要があった。
そのため、高品質印刷と低コストとの両立が容易ではなく、改善の余地があった。
【０００９】
そこで、本発明が解決しようとする課題は、低コストで高品質印刷ができる印刷装置を提供することにある。
【課題を解決するための手段】
【００１０】
上記の課題を解決するために、本発明は次の構成又は手順を有する。
１）  インクフィルムのインクを転写フィルムに転写する転写動作により前記転写フィルムに画像を印刷する印刷装置であって、
前記インクフィルム及び前記転写フィルムのうちの一方のフィルムは、第１のボビンと第２のボビンとに巻き渡され、他方のフィルムは、第３のボビンと第４のボビンとに巻き渡されており、前記転写動作において、前記インクフィルムと前記転写フィルムとを挟んで圧接するプラテンローラ及びサーマルヘッドと、
前記一方のフィルムを、前記第１のボビンと前記第２のボビンとの間で移動させる駆動部と、を備え、前記駆動部は、モータと、前記モータで発生したトルクを、前記モータの回転方向に応じた回転方向で前記第１のボビンに常に伝達する第１の伝達経路部と、前記第１の伝達経路部から分岐部で分岐し、前記トルクを前記第２のボビンに選択的に伝達する第２の伝達経路部と、を有し、前記第２の伝達経路部は、前記モータが第１の回転方向に回転するとき、前記トルクを前記第２のボビンに非伝達とし、前記モータが前記第１の回転方向とは逆の第２の回転方向に回転するとき、前記トルクを前記第２のボビンに伝達するよう構成されている印刷装置である。
【発明の効果】
【００１１】
本発明によれば、低コストで高品質印刷ができる。
【図面の簡単な説明】
【００１２】
【図１】図１は、本発明の実施の形態に係る印刷装置の実施例である印刷装置５１を説明するための全体構成図である。
【図２】図２は、印刷装置５１の構成を説明するためのブロック図である。
【図３】図３は、印刷装置５１で使用するインクフィルム１１を説明するための図である。
【図４】図４は、印刷装置５１で使用する転写フィルム２１を説明するための図である。
【図５】図５は、印刷装置５１におけるインクフィルム１１と転写フィルム２１との圧接状態を説明するための図である。
【図６】図６は、印刷装置５１が備えるインクフィルム駆動部ＫＤ１１及び転写フィルム駆動部ＫＤ２１を説明するための模式的側面図である。
【図７】図７は、インクフィルム駆動部ＫＤ１１の構成を説明するための模式的平面図である。
【図８】図８は、転写フィルム駆動部ＫＤ２１の構成を説明するための模式的平面図である。
【図９】図９は、印刷装置５１の動作における（Ａ：インクの転写動作）を説明するための模式的平面図である。
【図１０】図１０は、印刷装置５１の動作における（Ｂ：次色転写の頭出し動作）を説明するための模式的平面図である。
【図１１】図１１は、印刷装置５１の動作における（Ｃ：再転写動作）を説明するための模式的平面図である。
【図１２】図１２は、印刷装置５１の動作における（Ｄ：未使用転写フレームの頭出し動作）を説明するための模式的平面図である。
【発明を実施するための形態】
【００１３】
本発明の実施の形態に係る印刷装置の実施例である印刷装置５１を、図１〜図１２を参照して説明する。
【００１４】
印刷装置５１は、再転写方式の印刷装置であり、この例では、いわゆるカードプリンタである。
全体構成を示す図１において、印刷装置５１は、インクフィルム１１用の供給ボビン１２及び巻き取りボビン１３を装脱自在に取り付け可能とされている。
取り付けられた供給ボビン１２及び巻き取りボビン１３は、モータＭ１１を駆動源として有するインクフィルム駆動部ＫＤ１１によって回転駆動される。モータＭ１１の回転速度及び回転方向は、印刷装置５１に備えられた制御部ＣＴによって制御される。
モータＭ１１は、例えば減速機構付のＤＣモータである。
インクフィルム駆動部ＫＤ１１の詳細は、後述する。
【００１５】
インクフィルム１１は、供給ボビン１２と巻き取りボビン１３との間で巻き渡されると共に、複数のガイドシャフト１４に案内され所定の走行経路に掛け渡される。
インクフィルム１１の走行経路の途中には、頭出し用のインクフィルムセンサ１５が配置されている。
インクフィルムセンサ１５は、インクフィルム１１の頭出しマーク１１ｄ（図３参照）を検出し、インクフィルムマーク検出情報Ｊ１（図２参照）を制御部ＣＴに向け送出する。
インクフィルム１１の走行経路におけるインクフィルムセンサ１５と巻き取りボビン１３との間に、サーマルヘッド１６が配置されている。
【００１６】
印刷装置５１は、装着されたインクフィルム１１に対する図１の左方側に、被転写フィルム２１（以下、転写フィルム２１と称する）用の供給ボビン２２及び巻き取りボビン２３が装脱自在に取り付け可能とされている。
取り付けられた供給ボビン２２及び巻き取りボビン２３は、モータＭ２１を駆動源として有する転写フィルム駆動部ＫＤ２１によって回転駆動される。モータＭ２１の回転速度及び回転方向は、制御部ＣＴによって制御される。
モータＭ２１は、例えば減速機構付のステップモータである。
転写フィルム駆動部ＫＤ２１の詳細は、後述する。
【００１７】
転写フィルム２１は、供給ボビン２２と巻き取りボビン２３との間に巻きわたされると共に、両ボビン間において、複数のガイドシャフト２４に案内されて所定の走行経路に掛け渡される。
転写フィルム２１の走行経路の途中には、頭出し用のフレームマークセンサ２５が配置されている。
フレームマークセンサ２５は、転写フィルム２１のフレームマーク２１ｄ（図４参照）を検出し、フレームマーク検出情報Ｊ２（図２参照）を制御部ＣＴに向け送出する。
転写フィルム２１は光透過性を有する。例えば、フレームマークセンサ２５を光センサとし、フレームマーク２１ｄを光遮断する部分として形成して、光の透過と遮断との違いによりフレームマーク２１ｄを検出する。
インクフィルム１１も同様に、インクフィルムセンサ１５を光センサとし、頭出しマーク１１ｄを光遮断する部分として形成して、光透過性を有するイエローインク層Ｙとの光透過量の違いによって検出する。
【００１８】
転写フィルム２１の走行経路におけるフレームマークセンサ２５と供給ボビン２２との間には、モータＭ２６の駆動によって回転するプラテンローラ２６が配置されている。
モータＭ２６の回転速度及び回転方向は、制御部ＣＴにより制御される。
プラテンローラ２６の近傍拡大図である図５にも示されるように、プラテンローラ２６は、制御部ＣＴの制御の下、プラテン離接駆動部Ｄ２６の動作によって転写フィルム２１に対して離接する（矢印Ｄａ）。
詳しくは、プラテンローラ２６は、転写フィルム２１をサーマルヘッド１６に向け押圧し、サーマルヘッド１６との間に転写フィルム２１とインクフィルム１１とを挟んで圧接させる圧接位置（図５に示される位置）と、転写フィルム２１から離隔した離隔位置（図１に示される位置）と、の間を移動する。プラテンローラ２６が圧接位置にあるときに、後述する転写フィルム２１への転写が行われる。
【００１９】
プラテンローラ２６の離接動作は、サーマルヘッド１６側で行ってもよく、サーマルヘッド１６とプラテンローラ２６とは相対的に離接すればよい。
【００２０】
インクフィルム１１及び転写フィルム２１は、プラテンローラ２６が離隔位置にある状態で、それぞれ、モータＭ１１及びモータＭ２１の動作により、巻き取りボビン１３，２３側への巻き取り及び供給ボビン１２，２２への巻き戻しが、それぞれ独立してできるようになっている。
【００２１】
また、インクフィルム１１及び転写フィルム２１は、サーマルヘッド１６が圧接位置にある状態で、互いに密着して巻き取りボビン１３，２３側又は供給ボビン１２，２２側に移動可能となっている。
この移動は、制御部ＣＴの制御の下、モータＭ１１，Ｍ２１，Ｍ２６の駆動による供給ボビン１２，２２，巻き取りボビン１３，２３、及びプラテンローラ２６の回転によって行われる。
【００２２】
図１及び図２に示されるように、制御部ＣＴは、画像データ送出部ＣＴ１を有する。
画像データ送出部ＣＴ１は、プラテンローラ２６が圧接位置にあるとき、転写フィルム２１の転写フレームＦ（図４参照）のそれぞれに転写する画像データＳＮ１をサーマルヘッド１６へ適宜タイミングで供給する。このタイミングは、フレームマーク検出情報Ｊ２などに基づいて制御部ＣＴ全体として決定される。
画像データ送出部ＣＴ１は、画像データＳＮ１を、外部のデータ機器３８などから印刷装置５１が備える通信部３７に入来する転写画像情報Ｊ３（図２参照）に基づき生成する。
【００２３】
次にインクフィルム１１及び転写フィルム２１の詳細について、図３及び図４を参照して説明する。
インクフィルム１１は、図３（ａ），（ｂ）に示されるように、帯状のリボンベース１１ａと、リボンベース１１ａ上に塗布形成されたインク層１１ｂと、を有している。
インク層１１ｂは、帯方向に並ぶ複数色（ここでは四色）のインク層の組であるインク組１１ｂ１が、繰り返し塗布されて形成されている。
インク組１１ｂ１は、イエローインク層Ｙ，マゼンタインク層Ｍ，シアンインク層Ｃ，及びブラックインク層ＢＫであり、この順で帯方向に塗布されている。
各色のインクは昇華型である。ブラックは、溶融型が用いられる場合もある。
インクフィルム１１は、印刷装置５１に対し、インク層１１ｂの色順が、供給ボビン１２側から、ブラックインク層ＢＫ，シアンインク層Ｃ，マゼンタインク層Ｍ，イエローインク層Ｙとなるようにセットされる。
【００２４】
イエローインク層Ｙにおける、隣接するブラックインク層ＢＫの境界部位の一方縁部には、頭出しマーク１１ｄが形成されている。
各インク層Ｙ，Ｍ，Ｃ，ＢＫの帯方向の長さＬａは、互いに同じである。従って、インク組１１ｂ１のピッチＬａｐは、長さＬａの４倍となっている。
インクフィルムセンサ１５の位置は、インクフィルムセンサ１５が頭出しマーク１１ｄを検出したときに、サーマルヘッド１６の圧接位置がイエローインク層Ｙの走行方向先頭縁の位置と一致するようになっている。
すなわち、圧接位置からインクフィルムセンサ１５の検出位置までの走行経路長が、ピッチＬａｐの整数倍とされている。
【００２５】
転写フィルム２１は、図４（ａ），（ｂ）に示されるように、帯状のフィルムベース２１ａと、フィルムベース２１ａ上に積層形成された、剥離層２１ｂ及び転写用受像層２１ｃを有している。
フィルムベース２１ａの幅は、インクフィルム１１のリボンベース１１ａの幅と同じである。
フィルムベース２１ａ又は転写用受像層２１ｃには、フレームマーク２１ｄが、帯方向に所定のピッチＬｂで繰り返し形成されている。
フレームマーク２１ｄは、全幅に亘り形成されている。
ピッチＬｂは、インクフィルム１１における長さＬａと同じ（Ｌａ＝Ｌｂ）である。
転写フィルム２１においてピッチＬｂにて一定間隔で区切られる領域が転写フレームＦである。すなわち、フレームマーク２１ｄは、各転写フレームＦの境界部位に付与され、各転写フレームＦを帯方向に複数並設するように区画している。
【００２６】
フレームマークセンサ２５の位置は、フレームマークセンサ２５がフレームマーク２１ｄを検出したときに、サーマルヘッド１６の圧接位置がフレームマーク２１ｄの走行方向先頭縁の位置と一致するようにされている。
すなわち、圧接位置からフレームマークセンサ２５の検出位置までの走行経路長が、ピッチＬｂの整数倍とされている。
【００２７】
印刷装置５１において、転写フィルム２１とインクフィルム１１とは、図５に示されるように、転写用受像層２１ｃとインク層１１ｂとが直接対向する向きで掛け渡される。
転写用受像層２１ｃは、加熱により昇華したインク層１１ｂのインクを受容して固定する性質を有する。ブラックインク層ＢＫのインクが溶融型の場合は、加熱により溶融したブラックインクを受容して固定する。
これにより、図５に示されるサーマルヘッド１６の圧接状態において、転写用受像層２１ｃに圧接したインク層１１ｂからインクが転写され、転写用受像層２１ｃに画像が形成される。インクは、サーマルヘッド１６に供給された画像データＳＮ１に応じた加熱パターンで転写される。
【００２８】
印刷装置５１は、インクフィルム１１と転写フィルム２１とを密着移動させながら、サーマルヘッド１６に並設された複数の発熱抵抗体１６ａを、転写する画像データＳＮ１に基づいて適宜加熱し、インクフィルム１１のインク層１１ｂのインクを色毎に転写する。
具体的には、イエローインク層Ｙのインク，マゼンタインク層Ｍのインク，シアンインク層のインク，ブラックインク層ＢＫのインク、の順に転写フィルム２１の一つの転写フレームＦの転写用受像層２１ｃに、重畳転写する。
この転写を行うときの各フィルムの移動方向は、図１における上方向である。
すなわち、インクフィルム１１は巻き取りボビン１３に巻き取られる方向（順送り方向）であり、転写フィルム２１は、供給ボビン２２に巻き戻される方向（逆送り方向）となる。
この重畳転写により、所定の転写フレームＦにおける転写用受像層２１ｃに所望のカラー画像（以下、中間画像Ｐとも称する）を転写印刷することができる。
【００２９】
図１において、印刷装置５１は、転写フィルム２１の転写用受像層２１ｃに形成した中間画像Ｐの一部を、さらに別の被転写体に再転写する再転写部５２を備えている。
この例において、被転写体はカード３１である。図１では、搬送中のカード３１を太実線で示してある。
再転写部５２の動作は、制御部ＣＴにより制御される。
再転写部５２は、転写フィルム２１の走行経路における、プラテンローラ２６と巻き取りボビン２３との間に設けられた再転写ブロックＳＴ１と、再転写ブロックＳＴ１にカード３１を供給する供給ブロックＳＴ２と、再転写ブロックＳＴ１を通過したカード３１を搬出する搬出ブロックＳＴ３と、を有している。
【００３０】
再転写ブロックＳＴ１は、モータＭ４１により回転するヒートローラ４１と、ヒートローラ４１に対向配置された対向ローラ４２と、ヒートローラ４１を対向ローラ４２に対して離接させるヒートローラ駆動部Ｄ４１と、を有している。
供給ブロックＳＴ２は、カード３１を挟持したままカード３１の姿勢を鉛直方向から水平方向に転換するように９０°回動する姿勢転換ブロックＳＴ２ａを有する。
詳しくは、供給ブロックＳＴ２は、複数のカード３１を鉛直姿勢（立ち姿勢）で装填するスタッカ３２を有する。また、スタッカ３２に立ち姿勢で装填された複数のカード３１の中から、図１の最右となる一枚を上方に持ち上げるように回転する持ち上げローラ３３を有する。
供給ブロックＳＴ２は、またさらに、持ち上げローラ３３で持ち上げられたカード３１を、上方に配置された姿勢転換ブロックＳＴ２ａに挟持して送り込む一対の送り込みローラ３４と、姿勢転換ブロックＳＴ２ａで水平姿勢にされたカード３１を左方の再転写ブロックＳＴ１に送り込む複数対の搬送ローラ３５と、を有する。
【００３１】
モータＭ４１の動作は、制御部ＣＴにより制御される。また、持ち上げローラ３３，送り込みローラ３４，及び搬送ローラ３５は、それぞれ制御部ＣＴの制御の下、図示しないモータの駆動によって回転する。
【００３２】
このように、再転写部５２は、供給ブロックＳＴ２においてスタッカ３２から鉛直姿勢で上方に取り出した一枚のカード３１を、姿勢転換ブロックＳＴ２ａにおいて水平姿勢に転換し、再転写ブロックＳＴ１に搬送供給する。
【００３３】
再転写ブロックＳＴ１において、カード３１は、ヒートローラ駆動部Ｄ４１の動作によって、昇温したヒートローラ４１と対向ローラ４２との間に転写フィルム２１と共に圧接挟持されながら、モータＭ４１の駆動により搬出ブロックＳＴ３に向け移動する。カード３１には、転写フィルム２１の転写用受像層２１ｃが圧接する。
この圧接移動で、印刷装置５１によって転写用受像層２１ｃに形成された中間画像Ｐの一部の範囲が、カード３１に転写される。すなわち、カード３１の表面上に再転写画像が印刷形成される。
【００３４】
再転写画像が印刷されたカード３１は、搬出ブロックＳＴ３に搬送される。搬出ブロックＳＴ３には、カード３１の反りを矯正する矯正ヒートローラ４３と矯正ヒートローラ４３と対向する矯正対向ローラ４４との組である矯正ローラ組４５が配設されている。
再転写画像が形成されたカード３１は、矯正ローラ組４５の間を、加熱搬送されることで反りが矯正され、その後、例えば外部のストッカ３６に積層収容される。
【００３５】
転写フィルム２１への転写と、カード３１への再転写と、の動作タイミングは、限定されない。一つの転写フレームＦに中間画像Ｐを形成したら、次の転写フレームＦへ中間画像Ｐを形成する前に再転写を実行してよい。
また、複数の転写フレームＦに中間画像Ｐをまとめて形成した後に、全部の中間画像Ｐ又は選択された一部の中間画像Ｐについて再転写を実行してもよい。
【００３６】
印刷装置５１は、制御部ＣＴと共に、記憶部ＭＲ及び通信部３７を有している。記憶部ＭＲには、印刷装置５１全体の動作を実行するための動作プログラム、及び転写する画像の情報である転写画像情報Ｊ３などが予め記憶されている。記憶部ＭＲの記憶内容は、制御部ＣＴにより適宜参照される。
動作プログラム及び転写画像情報Ｊ３は、外部のデータ機器３８などから通信部３７を介して制御部ＣＴに供給され（図２参照）、記憶部ＭＲに記憶される。
【００３７】
次に、インクフィルム駆動部ＫＤ１１及び転写フィルム駆動部ＫＤ２１について、図６〜図８を主に参照して詳述する。
インクフィルム駆動部ＫＤ１１は、インクフィルム１１が架け渡される二つのボビン、すなわち供給ボビン１２と巻き取りボビン１３とを、一つのモータＭ１１で回転駆動させるように構成されている。
転写フィルム駆動部ＫＤ２１は、転写フィルム２１が架け渡される二つのボビン、すなわち供給ボビン２２と巻き取りボビン２３とを、一つのモータＭ２１で回転駆動させるように構成されている。
まず、インクフィルム駆動部ＫＤ１１について、図６及び図７を参照して説明する。
【００３８】
図６は、インクフィルム駆動部ＫＤ１１の構成を説明する模式的側面図であり、図７は、模式的平面図である。
図６及び図７では、モータＭ１１で発生したトルクの伝達経路を解り易くするため、実際の配置とは一部異なる模式的表記としてある。
特に、図７は、同じ軸に取り付けられその軸と一体的に回転する部材の中心同士を実線で繋いである。実線は、軸を意味する。
また、部材同士が連結しているものの、必ずしも一体的に回転しない部材の中心同士を二重実線で繋いである。さらに、軸方向の重なりや径方向の連結の関係を、平面展開して示してある。
【００３９】
インクフィルム駆動部ＫＤ１１の基体となるフレーム６１には、モータＭ１１が一体的に固定され、中間従動軸６２とボビン従動軸６３とが回転自在に支持されている。
モータＭ１１の駆動軸６４には、駆動ギヤ６４ａ及び巻き取りボビン１３が、駆動軸６４と一体的に回転するように固定されている。
中間従動軸６２には、駆動ギヤ６４ａに歯合すると共に、駆動ギヤ６４ａより小径（歯数の少ない）の従動ギヤ６２ａが固定されている。
また、中間従動軸６２には、トルクリミッタ６２ｂを介して従動ギヤ６２ａと同径のＴＲギヤ６２ｃが取り付けられている。
図７では、上述のように、中間従動軸６２及びボビン従動軸６３を、軸を意味する実線で示し、トルクリミッタ６２ｂとＴＲギヤ６２ｃとの連結を、二重実線で示してある。
【００４０】
トルクリミッタ６２ｂは、中間従動軸６２とＴＲギヤ６２ｃとの間に所定値を超える回転トルクが生じた場合に、空転して規定値上限の回転トルクを伝達するようになっている。
ボビン従動軸６３には、供給ボビン１２が一体的に固定されると共に、ワンウェイクラッチ６３ａ（以下、クラッチ６３ａと称する）を介してクラッチギヤ６３ｂが取り付けられている。クラッチギヤ６３ｂは、ＴＲギヤ６２ｃと歯合している。
クラッチ６３ａは、図７（図１も同様）において、ボビン従動軸６３に対しクラッチギヤ６３ｂが右回り方向の回転をした場合に、一体連結してその回転をボビン従動軸６３に伝達する。
また、クラッチギヤ６３ｂが左回り方向の回転をした場合に、空転してその回転をボビン従動軸６３に伝達しないように設けられている（図７では、回転伝達方向を破線矢印で示してある）。
【００４１】
上述の構成から明らかなように、インクフィルム駆動部ＫＤ１１は、一つのモータＭ１１で発生したトルクを、巻き取りボビン１３に伝達する伝達経路部ＤＫ１１と、供給ボビン１２に伝達する伝達経路部ＤＫ１２と、を有している。
伝達経路部ＤＫ１１と伝達経路部ＤＫ１２とは、分岐部Ｂ１１で分岐する。分岐部Ｂ１１は、駆動ギヤ６４ａと従動ギヤ６２ａとを含んで構成されている。
【００４２】
伝達経路部ＤＫ１１は、モータＭ１１から駆動軸６４を経て巻き取りボビン１３に至る経路である。
伝達経路部ＤＫ１２は、モータＭ１１から、駆動軸６４，駆動ギヤ６４ａ，従動ギヤ６２ａ，中間従動軸６２，トルクリミッタ６２ｂ，ＴＲギヤ６２ｃ，クラッチギヤ６３ｂ，クラッチ６３ａ，及びボビン従動軸６３を経て供給ボビン１２に至る経路である。
【００４３】
伝達経路部ＤＫ１１は、モータＭ１１で発生したトルクを常に巻き取りボビン１３に伝達する。
伝達経路部ＤＫ１２は、モータＭ１１で発生したトルクを選択的に供給ボビン１２に伝達する。
【００４４】
転写フィルム駆動部ＫＤ２１の構成は、インクフィルム駆動部ＫＤ１１と基本的に同じであり、図６及び図８を参照して説明する。図６については（  ）を付した符号が転写フィルム駆動部ＫＤ２１に該当する。
すなわち、図６において、転写フィルム駆動部ＫＤ２１の基体となるフレーム７１には、モータＭ２１が一体的に固定され、中間従動軸７２とボビン従動軸７３とが回転自在に支持されている。
モータＭ２１の駆動軸７４には、駆動ギヤ７４ａ及び供給ボビン２２が。駆動軸７４と一体的に回転するように固定されている。
中間従動軸７２には、駆動ギヤ７４ａと歯合すると共に、駆動ギヤ７４ａより小径の（歯数の少ない）従動ギヤ７２ａが固定されている。
また、中間従動軸７２には、トルクリミッタ７２ｂを介して従動ギヤ７２ａと同径のＴＲギヤ７２ｃが取り付けられている。
図８では、上述のように、中間従動軸７２及びボビン従動軸７３を、軸を意味する実線で示し、トルクリミッタ７２ｂとＴＲギヤ７２ｃとの連結を、二重実線で示してある。
【００４５】
トルクリミッタ７２ｂは、中間従動軸７２とＴＲギヤ７２ｃとの間に所定値を超える回転トルクが生じた場合に、空転して規定値上限の回転トルクを伝達するようになっている。
ボビン従動軸７３には、巻き取りボビン２３が一体的に固定されると共に、ワンウェイクラッチ７３ａ（以下、クラッチ７３ａと称する）を介してクラッチギヤ７３ｂが取り付けられている。クラッチギヤ７３ｂは、ＴＲギヤ７２ｃと歯合している。
クラッチ７３ａは、図８（図１も同様）において、ボビン従動軸７３に対しクラッチギヤ７３ｂが左回り方向の回転をした場合に、一体連結してその回転をボビン従動軸７３に伝達する。
また、クラッチギヤ７３ｂが右回り方向の回転をした場合に、空転してその回転をボビン従動軸７３に伝達しないように設けられている（図８では、回転伝達方向を破線矢印で示してある）。
【００４６】
上述のように、転写フィルム駆動部ＫＤ２１は、一つのモータＭ２１で発生したトルクを、供給ボビン２２に伝達する伝達経路部ＤＫ２１と、巻き取りボビン２３に伝達する伝達経路部ＤＫ２２と、を有している。
伝達経路部ＤＫ２１と伝達経路部ＤＫ２２とは、分岐部Ｂ２１で分岐する。分岐部Ｂ２１は、駆動ギヤ７４ａと従動ギヤ７２ａとを含んで構成されている。
【００４７】
伝達経路部ＤＫ２１は、モータＭ２１から駆動軸７４を経て供給ボビン２２に至る経路である。
伝達経路部ＤＫ２２は、モータＭ２１から、駆動軸７４，駆動ギヤ７４ａ，従動ギヤ７２ａ，中間従動軸７２，トルクリミッタ７２ｂ，ＴＲギヤ７２ｃ，クラッチギヤ７３ｂ，クラッチ７３ａ，及びボビン従動軸７３を経て巻き取りボビン２３に至る経路である。
【００４８】
伝達経路部ＤＫ２１は、モータＭ２１で発生したトルクを常に供給ボビン２２に伝達する。
伝達経路部ＤＫ２２は、モータＭ２１で発生したトルクを選択的に巻き取りボビン２３に伝達する。
【００４９】
印刷装置５１は、上述の構成により、転写動作及び再転写動作において、インクフィルム１１及び転写フィルム２１を、それぞれに対応して設けられたモータＭ１１及びモータＭ２１の駆動によって、最適移動させるようになっている。
そこで、印刷装置５１の動作を、時系列的に（Ａ：Ｙインクの転写印刷及びカード給紙動作），（Ｂ：次色転写の頭出し動作），（Ｃ：再転写動作），及び（Ｄ：未使用転写フレームの頭出し動作）の四つに区分し、順に図９〜図１２を参照して詳述する。次に説明する動作は、制御部ＣＴの制御の下で行われる。
【００５０】
（Ａ：インクの転写動作：主に図６及び図９参照）
上述のように、転写フィルム２１に対する中間画像Ｐの転写印刷は、一つの転写フレームＦに対し、イエローインク層Ｙ，マゼンタインク層Ｍ，シアンインク層Ｃ，及びブラックインク層ＢＫの各インクをこの順に重畳転写することで行われる。
最初のイエローインクの転写は、後述するインクフィルム１１のイエローインク層Ｙと転写フィルム２１における転写フレームＦとの頭出し動作の後に行われる。
【００５１】
まず、制御部ＣＴは、プラテン離接駆動部Ｄ２６を動作させてプラテンローラ２６をサーマルヘッド１６に押し付ける（白矢印Ｄｂ）。
これによりイエローインク層Ｙの転写先頭位置と、転写フレームＦの被転写先頭位置とが圧接する。
【００５２】
インクフィルム１１について、制御部ＣＴは、モータＭ１１を反時計まわり方向（矢印Ｄｃ）に回転させる。これにより、モータＭ１１の駆動軸６４に固定された駆動ギヤ６４ａと巻き取りボビン１３とが、駆動軸６４と同じ反時計まわり方向に回転する。
駆動ギヤ６４ａの回転により、駆動ギヤ６４ａに歯合している従動ギヤ６２ａは時計まわり方向（矢印Ｄｅ）に回転する。これにより従動ギヤ６２ａと一体化されている中間従動軸６２が時計まわり方向に回転し、中間従動軸６２に取り付けられたトルクリミッタ６２ｂも時計まわり方向に回転しようとする。
このとき、トルクリミッタ６２ｂに取り付けられたＴＲギヤ６２ｃ以降の駆動部材、すなわち、ＴＲギヤ６２ｃ，クラッチギヤ６３ｂ，クラッチ６３ａ，ボビン従動軸６３，及び供給ボビン１２には、中間従動軸６２の時計まわり方向の回転を妨げるトルクは発生しないので、トルクリミッタ６２ｂのトルクリミット機能が作動することはない。そのため、従動ギヤ６２ａの回転は、そのままトルクリミッタ７２ｂを介してＴＲギヤ６２ｃに伝達される。
【００５３】
ＴＲギヤ６２ｃに歯合しているクラッチギヤ６３ｂは、反時計まわり方向（矢印Ｄｆ）に回転する。
一方、巻き取りボビン１３の反時計まわり方向（矢印Ｄｃ）の回転により、インクフィルム１１は、供給ボビン１２から送り出される方向（矢印Ｄｇ）に引っ張られる。
【００５４】
ここで、駆動ギヤ６４ａと従動ギヤ６２ａとの歯車比は、供給ボビン１２に巻回されたインクフィルム１１が最小巻回量（最小径）の場合でも、インクフィルム１１が巻き取りボビン１３に引っ張られることで回転する供給ボビン１２の回転数よりもクラッチギヤ６３ｂの回転数の方が大きく（高速に）なるよう設定されている。
すなわち、インクフィルム１１が巻き取りボビン１３に引っ張られることで回転する供給ボビン１２及びボビン従動軸６３の反時計まわり方向の回転数よりも、クラッチギヤ６３ｂの反時計まわり方向の回転数の方が大きく（高速に）なる。
これにより、クラッチ６３ａには、予め設定されている力を伝達する回転方向とは逆方向の相対回転が与えられ、クラッチ６３ａは空転する。
そのため、インクフィルム１１の巻き取りボビン１３への巻き取り移動において、インクフィルム１１には実質的に供給ボビン１２によるバックテンションはかからない。
【００５５】
転写フィルム２１について、制御部ＣＴは、モータＭ２１を時計まわり方向（矢印Ｄｄ）に回転させる。これにより、モータＭ２１の駆動軸７４に固定された駆動ギヤ７４ａと供給ボビン２２とが、駆動軸７４と同じ時計まわり方向に回転する。
駆動ギヤ７４ａの回転により、駆動ギヤ７４ａに歯合している従動ギヤ７２ａは反時計まわり方向（矢印Ｄｈ）に回転する。これにより従動ギヤ７２ａと一体化されている中間従動軸７２が反時計まわり方向に回転し、中間従動軸７２に取り付けられたトルクリミッタ７２ｂも反時計まわり方向に回転しようとする。
このとき、トルクリミッタ７２ｂに取り付けられたＴＲギヤ７２ｃ以降の駆動部材、すなわち、ＴＲギヤ７２ｃ，クラッチギヤ７３ｂ，クラッチ７３ａ，ボビン従動軸７３，及び巻き取りボビン２３には、中間従動軸７２の反時計まわり方向の回転を妨げるトルクは発生しないので、トルクリミッタ７２ｂのトルクリミット機能が作動することはない。そのため、従動ギヤ７２ａの回転は、トルクリミッタ７２ｂを介してＴＲギヤ７２ｃに伝達される。
【００５６】
ＴＲギヤ７２ｃに歯合しているクラッチギヤ７３ｂは、時計まわり方向（矢印Ｄｊ）に回転する。
一方、供給ボビン２２の時計まわり方向（矢印Ｄｄ）の回転により、転写フィルム２１が巻き取りボビン２３から巻き戻される方向（矢印Ｄｋ）に引っ張られる。
【００５７】
ここで、駆動ギヤ７４ａと従動ギヤ７２ａの歯車比は、巻き取りボビン２３に巻回された転写フィルム２１が最小巻回量（最小径）の場合でも、転写フィルム２１が供給ボビン２２に引っ張られることで回転する巻き取りボビン２３の回転数よりもクラッチギヤ７３ｂの回転数の方が大きく（高速に）なるよう設定されている。
すなわち、転写フィルム２１が供給ボビン２２に引っ張られることで回転する巻き取りボビン２３及びボビン従動軸７３の時計まわり方向の回転数よりも、クラッチギヤ７３ｂの時計まわり方向の回転数の方が大きく（高速に）なる。
これにより、クラッチ７３ａには、予め設定されている力を伝達する回転方向とは逆方向の相対回転が与えられ、クラッチ７３ａは空転する。
そのため、転写フィルム２１の供給ボビン２２への巻き戻し移動において、転写フィルム２１には実質的に巻き取りボビン２３によるバックテンションはかからない。
【００５８】
上述のように、インクフィルム１１と転写フィルム２１とは、バックテンションがかからない状態で、プラテンローラ２６とサーマルヘッド１６とにより熱圧接されながら、インクフィルム１１は巻き取りボビン１３に巻き取られ、転写フィルム２１は供給ボビン２２に巻き戻されるように移動する。
この移動距離は、概ね転写フレームＦの一つ分である。この移動に伴い、サーマルヘッド１６には、転写する画像データＳＮ１が画像データ送出部ＣＴ１から送り込まれ、転写フレームＦに対しイエローインク層Ｙのインクの転写印刷が行われる。これにより、転写フレームＦには、中間画像Ｐにおけるイエロー成分の画像が形成される。
【００５９】
転写フィルム２１へのインク転写動作において、インクフィルム１１又は転写フィルム２１にバックテンションが付与されていると、バックテンションの大きさが僅かにでも変動したときに、インクフィルム１１又は転写フィルム２１の移動速度が変動して転写ムラが生じる虞がある。
印刷装置５１では、インク転写動作において、上述のように、インクフィルム１１及び転写フィルム２１にかかるバックテンションが実質０（ゼロ）となる。
これにより、インクフィルム１１及び転写フィルム２１の移動速度は変動せず安定維持されるので転写ムラが生じる虞はない。
【００６０】
サーマルヘッド１６を通過したインクフィルム１１及び転写フィルム２１は、転写した部分が熱圧接によって緩く貼り付いた状態となる。従って、サーマルヘッド１６を通過した後も密着移動する。
この転写によって密着した部分は、ガイドシャフト１４，２４を過ぎた所（分離位置ＰＴａ）で、互いに異なる方向に引っ張られることで分離する。
制御部ＣＴは、インクの転写印刷が終了した後も、この密着部分が分離位置ＰＴａを過ぎて完全に分離するまでインクフィルム１１及び転写フィルム２１の移動を継続する。
密着部分が完全に分離したとき、インクフィルム１１における次の転写インク層であるマゼンタインク層Ｍの転写開始位置ＰＭは、サーマルヘッド１６を通りすぎてそれよりも図１の上方に位置している。
【００６１】
一方、制御部ＣＴは、イエローインク層Ｙからのインク転写動作と並行して、カード３１の再転写待機動作を実行する。
具体的には、図１においてスタッカ３２に縦置きされているカード３１の最右の一枚（図９：カード３１Ａ）を、持ち上げローラ３３で持ち上げて姿勢転換ブロックＳＴ２ａに供給する。
姿勢転換ブロックＳＴ２ａでは、供給されたカード３１を回動させて水平姿勢とした後（図９：カード３１Ｂ）、供給ブロックＳＴ２の搬送ローラ３５で挟持し、再転写ブロックＳＴ１での再転写待機位置（図９：カード３１Ｃ参照）に位置させる。
【００６２】
（Ｂ：次色転写の頭出し動作：図６及び図１０参照）
上述のように、イエローインク層Ｙのインク転写動作終了時、詳しくは密着部分の分離完了時において、サーマルヘッド１６の位置は、次の転写色であるマゼンタインク層Ｍの転写開始位置ＰＭよりも下方にある。
従って、マゼンタインク層Ｍの頭出しに際して、インクフィルム１１については、転写開始位置ＰＭをサーマルヘッド１６の位置に移動させるように、巻き戻し（供給ボビン１２への巻き取り）を行う。
また、転写フィルム２１については、イエローインク層Ｙのインクを転写した転写フレームＦに対しマゼンタインク層Ｍのインクを重畳転写させるため、転写フレームＦの帯方向長さに相当するピッチＬｂ分の巻き取り（巻き取りボビン２３への巻き取り）を行い転写フィルム２１の再頭出しを行う。
【００６３】
制御部ＣＴは、インクフィルム１１及び転写フィルム２１の正確な頭出しを、インクフィルムセンサ１５及びフレームマークセンサ２５からのインクフィルムマーク検出情報Ｊ１及びフレームマーク検出情報Ｊ２に基づいて行う。
この頭出し動作について、図１０を主に参照して説明する。
【００６４】
まず、制御部ＣＴは、プラテン離接駆動部Ｄ２６を動作させてプラテンローラ２６を白矢印Ｄｍのように離隔位置に移動する。これにより、圧接されていたインクフィルム１１と転写フィルム２１とが離隔する。
【００６５】
インクフィルム１１について、制御部ＣＴは、モータＭ１１を時計まわり方向（矢印Ｄｎ参照）に回転させる。この回転で、モータＭ１１の駆動軸６４に固定された駆動ギヤ６４ａと巻き取りボビン１３とが、駆動軸６４と同じ時計まわり方向に回転する。
巻き取りボビン１３の時計まわり方向の回転により、インクフィルム１１は、供給ボビン１２に向け送り出される。
一方、駆動ギヤ６４ａの回転により、駆動ギヤ６４ａに歯合している従動ギヤ６２ａは、反時計まわり方向（矢印Ｄｐ）に駆動ギヤ６４ａよりも高回転数で回転する。これにより従動ギヤ６２ａと一体化されている中間従動軸６２が反時計まわり方向に回転し、中間従動軸６２に取り付けられたトルクリミッタ６２ｂ及びトルクリミッタ６２ｂに連結されたＴＲギヤ６２ｃも、反時計まわり方向に回転する。
【００６６】
ＴＲギヤ６２ｃに歯合しているクラッチギヤ６３ｂは、時計まわり方向に回転する。
ここで、供給ボビン１２は、インクフィルム１１に引っ張られないので、ボビン従動軸６３と一体に自由に回転できる。
そのため、クラッチ６３ａには、クラッチギヤ６３ｂによって、予め設定されている力を伝達する方向である時計まわり方向の相対回転が与えられるので、ボビン従動軸６３及び供給ボビン１２には、トルクリミッタ６２ｂで規定された値を上限とするトルクで時計まわり方向の回転力が伝達される。
これにより、供給ボビン１２は、巻き取りボビン１３よりも高回転数で時計まわり方向（矢印Ｄｑ）に回転しようとするので、インクフィルム１１は、二つのボビンの回転数差に応じた強さのバックテンションが付与された状態で、供給ボビン１２に巻き取られる。
制御部ＣＴは、所定の頭出し位置でモータＭ１１を停止する。
【００６７】
この巻き取りにおいて、インクフィルム１１にかかるテンションは、実質的に、トルクリミッタ６２ｂの規定上限値に対応した値で維持される。
従って、次に転写する色のインク層の頭出し動作は、インクフィルム１１が弛むことなく行われ、高精度の位置出し（次転写色のインク層の頭出し）ができる。
【００６８】
転写フィルム２１について、制御部ＣＴは、モータＭ２１を反時計まわり方向（矢印Ｄｒ参照）に回転させる。この回転で、モータＭ２１の駆動軸７４に固定された駆動ギヤ７４ａと供給ボビン２２とが、駆動軸７４と同じ反時計まわり方向に回転する。
供給ボビン２２の反時計まわり方向の回転により、転写フィルム２１は、巻き取りボビン２３に向け送り出される。
一方、駆動ギヤ７４ａの回転により、駆動ギヤ７４ａに歯合している従動ギヤ７２ａは、時計まわり方向（矢印Ｄｓ）に駆動ギヤ７４ａよりも高回転数で回転する。これにより従動ギヤ７２ａと一体化されている中間従動軸７２が時計まわり方向に回転し、中間従動軸７２に取り付けられたトルクリミッタ７２ｂ及びトルクリミッタ７２ｂに連結されたＴＲギヤ７２ｃも、時計まわり方向に回転する。
【００６９】
ＴＲギヤ７２ｃに歯合しているクラッチギヤ７３ｂは、反時計まわり方向に回転する。
ここで、巻き取りボビン２３は、転写フィルム２１に引っ張られないので、ボビン従動軸７３と一体に自由に回転できる。
そのため、クラッチ７３ａには、クラッチギヤ７３ｂによって、予め設定されている力を伝達する方向である反時計まわり方向の相対回転が与えられるので、ボビン従動軸７３及び巻き取りボビン２３には、トルクリミッタ７２ｂで規定された値を上限とするトルクで反時計回り方向の回転力が伝達される。
これにより、巻き取りボビン２３は、供給ボビン２２よりも高回転数で反時計まわり方向（矢印Ｄｔ）に回転しようとするので、転写フィルム２１は、二つのボビンの回転数差に応じた強さのバックテンションが付与された状態で、巻き取りボビン２３に巻き取られる。
制御部ＣＴは、所定の頭出し位置でモータＭ２１を停止する。
【００７０】
この巻き取りにおいて、転写フィルム２１にかかるテンションは、実質的に、トルクリミッタ７２ｂの規定値上限に対応した値で維持される。
従って、重畳転写する転写フレームＦの頭出し動作は、転写フィルム２１が弛むことなく行われ、高精度の位置出し（インク転写済みの転写フレームへの重畳転写の頭出し）ができる。
【００７１】
マゼンタインク層Ｍのインク重畳転写後のシアンインク層Ｃ及びブラックインク層ＢＫからのインク重畳転写動作は、上述の（Ａ：インクの転写動作）及び（Ｂ：次色転写の頭出し動作）をそれぞれ実行することで行われる。
四色のインクを重畳転写することで、転写フレームに中間画像Ｐが転写印刷される。
【００７２】
上述のように、印刷装置５１は、形成した中間画像Ｐの一部を、カード３１に再転写することができる。
次に、この再転写動作について図１１を主に参照して説明する。
【００７３】
（Ｃ：再転写動作：図１，図６，及び図１１）
再転写動作において、まず、転写フィルム２１と被再転写体であるカード３１との頭出し動作を行う。
詳しくは、転写フィルム２１において、中間画像Ｐが転写印刷された転写フレームＦの再転写開始位置と、中間画像Ｐを再転写印刷するカード３１の再転写開始位置と、を、再転写ブロックＳＴ１における所定の頭出し位置に位置合わせする。
【００７４】
制御部ＣＴは、転写フィルム２１のこの頭出し移動を、（Ｂ：次色転写の頭出し動作）と同様に行う。従って、転写フレームＦの再転写頭出し動作において、転写フィルム２１に対し、テンションがトルクリミッタ７２ｂの規定値上限に対応した値で付与される。これにより、頭出し移動において転写フィルム２１が弛むことはなく、高精度に位置出しできる。
【００７５】
一方、カード３１の頭出し移動については、カード３１を再転写待機位置から搬送ローラ３５（図１参照）などによって再転写ブロックＳＴ１に供給し、頭出しする（図１１：カード３１Ｄ）。
そして、制御部ＣＴは、ヒートローラ駆動部Ｄ４１を駆動してヒートローラ４１を対向ローラ４２に向けて移動し（矢印ＤＡ１）、転写フィルム２１とカード３１とを、ヒートローラ４１と対向ローラ４２との間に圧接挟持させる。
【００７６】
次いで、制御部ＣＴは、モータＭ２１及びモータＭ４１を回転させて、転写フィルム２１とカード３１とを、熱圧接状態で図１１の左方へ移動する（矢印ＤＡ２）。
制御部ＣＴは、この左方移動を、転写フィルム２１については、（Ｂ：次色転写の頭出し動作）と同様に行う。従って、転写フィルム２１に対し、テンションが、トルクリミッタ７２ｂの規定値上限に対応した値で付与される。
【００７７】
ヒートローラ４１を通過した転写フィルム２１とカード３１とは、熱圧接によって緩く貼り付いた状態となり、通過後も密着移動する。
そして、転写フィルム２１は、上述のようにトルクリミッタ７２ｂのトルクリミット機能が作用し、規定値上限に対応したトルクで巻き取りボビン２３に巻き取られるので、ガイドシャフト２４ａを過ぎると図１１の上方に所定の力で引っ張られる。
従って、矯正ローラ組４５によって図１１の左方向へ継続して挟持移動されるカード３１と転写フィルム２１とは、矯正ローラ組４５の手前のガイドシャフト２４ａを過ぎた位置（分離位置ＰＴｂ）で、良好に分離する。
転写フィルム２１の分離後、カード３１はストッカ３６などへ排出される。
【００７８】
このように、再転写動作においては、トルクリミッタ７２ｂが機能して転写フィルム２１にテンションが付与される。
これにより、カード３１からの転写フィルム２１の分離が良好にスムースに行われ、分離の不安定さに起因する移動速度の変動は、ほとんど生じない。従って、カード３１に対する再転写は良好に行われる。
【００７９】
一方、インクフィルム１１について、制御部ＣＴは（Ｂ：次色転写の頭出し動作）を実行し、次のインク組１１ｂ１のイエローインク層Ｙの頭出しを実行する。
従って、この頭出し動作においては、トルクリミッタ６２ｂが機能してインクフィルム１１にテンションが付与されるので、インクフィルム１１が弛むことなく行われる。従って、高精度の位置出し（次インク組１１ｂ１の先頭のイエローインク層Ｙの頭出し）ができる。
【００８０】
（Ｄ：未使用転写フレームの頭出し動作：図１２参照）
再転写したカード３１を排出した後、制御部ＣＴは、転写フィルム２１への次の転写のため、未使用転写フレームの頭出しを行う。再転写した転写済みフレームは、再転写ブロックＳＴ１に位置している。
従って、転写フィルム２１を所定距離だけ供給ボビン２２に巻き取るように移動させる。
【００８１】
インクフィルム１１については、（Ｃ；再転写動作）において、イエローインク層Ｙの頭出しが完了している。そのため、制御部ＣＴは、モータＭ１１を動作させず、インクフィルム１１に所定の張力が付与された停止状態を維持する。
転写フィルム２１については、制御部ＣＴは、プラテンローラ２６を離隔位置に維持したまま、（Ａ：インクの転写動作）と同じ動作を実行する。
すなわち、モータＭ２１を、時計まわり方向（矢印Ｄ１ａ参照）に回転させ、転写フィルム２１にバックテンションを付与せずに、供給ボビン２２に向け巻き戻し移動させる。
バックテンションを付与しない巻き戻し動作での高精度の位置出しは容易でない。
そこで制御部ＣＴは、転写フィルム２１の未使用転写フレームＦの頭出しを、供給ボビン２２への巻き戻し動作のみでは行わず、頭出し位置が所定位置を通り越してサーマルヘッド１６よりも供給ボビン２２側に位置するまで余計に巻き戻しを行う。
その後、モータＭ２１の回転方向を逆転させ（破線矢印Ｄ１ｂ及びその他の破線矢印参照）、上述の（Ｂ：次色転写の頭出し動作）における転写フレームの頭出し動作を実行することで、転写フィルム２１にバックテンションが付与された状態での高精度な頭出しを実行する。
印刷装置５１は、これによって、次に中間画像を転写形成する未使用転写フレームを、高精度に頭出しすることができる。
【００８２】
印刷装置５１は、上述のように、インクフィルム１１の移動と転写フィルム２１の移動とを、それぞれのフィルムに一つずつ対応するモータＭ１１，Ｍ２１を用い、合計二つのモータで行えるようになっている。
これにより、印刷装置５１は、モータの数が少なくて済み、低コストである。また、制御するモータ数が少ないことから、従来よりも制御能力の低い制御部で制御が可能となり、この点でも低コスト化が図れる。
【００８３】
印刷装置５１は、供給側のボビンと、それと組になる巻き取り側のボビンと、の動作を、共通の一つのモータを駆動源として実行するようになっている。
これにより、モータの特性合わせをする必要がなく、モータの特性における経時変化でのばらつきを考慮することなくモータを選定できる。そのため、印刷装置５１の製造及びメンテナンスが容易となる。
【００８４】
印刷装置５１は、インクフィルム１１の移動を、一つのモータＭ１１と、トルクリミッタ６２ｂ及びワンウェイクラッチ６３ａと、を含むインクフィルム駆動部ＫＤ１１で行う。
インクフィルム駆動部ＫＤ１は、モータＭ１１で発生したトルクを、巻き取りボビン１３と供給ボビン１２とのそれぞれに伝達可能な伝達経路部ＤＫ１１と伝達経路部ＤＫ１１から分岐部Ｂ１１において分岐する伝達経路部ＤＫ１２とを備えている。
伝達経路部ＤＫ１１は、モータＭ１１で発生したトルクを常に巻き取りボビン１３に伝達する。
伝達経路部ＤＫ１２は、伝達経路中にワンウェイクラッチ６３ａを配置し、モータＭ１１の回転方向に応じて、供給ボビン１２へのトルクの伝達と非伝達とを選択的に行うようになっている。
具体的には、供給ボビン１２におけるインクフィルム１１の巻回量（巻回外径）によらず、伝達経路部ＤＫ１１による巻き取りボビン１３の回転数よりも、伝達経路部ＤＫ１２による供給ボビン１２の回転数の方が必ず大きく（高速に）なるように、分岐部Ｂ１１での歯車比（駆動ギヤ６４ａと従動ギヤ６２ａとの歯車比）を設定している。
【００８５】
これにより、モータＭ１１がインクフィルム１１の転写動作での移動に対応した回転方向で回転した場合、クラッチ６３ａが空転してトルクは伝達は非実行となり、頭出し動作での移動に応じた回転方向で回転した場合、クラッチ６３ａが非空転となってトルク伝達を実行する。
そのため、インクフィルム１１のインク層１１ｂの頭出し動作においてインクフィルム１１にバックテンションが付与され、頭出しが高精度に実行でき、かつ安定したインクフィルム１１の移動が可能となる。
また、転写フィルム２１への転写動作においてインクフィルム１１にバックテンションは付与されないので、インクフィルム１１の速度変動が生じにくく、品質に影響する転写ムラは生じない。
【００８６】
印刷装置５１は、転写フィルム２１の移動を、一つのモータＭ２１と、トルクリミッタ７２ｂ及びクラッチ７３ａと、を含む転写フィルム駆動部ＫＤ２１で行う。
【００８７】
転写フィルム駆動部ＫＤ２１は、一つのモータＭ２１で発生したトルクを、供給ボビン２２と巻き取りボビン２３とのそれぞれに伝達可能な伝達経路部ＤＫ２１と伝達経路部ＤＫ２１から分岐するＤＫ２２とを備えている。
伝達経路部ＤＫ２１は、モータＭ２１で発生したトルクを常に供給ボビン２２に伝達する。
伝達経路部ＤＫ２２は、伝達経路中にワンウェイクラッチ７３ａを配置し、モータＭ２１の回転方向に応じて、巻き取りボビン２３への駆動力伝達の実行／非実行を選択的に行うようになっている。
具体的には、巻き取りボビン２３における転写フィルム２１の巻回量（巻回外径）によらず、伝達経路部ＤＫ２１による供給ボビン２２の回転数よりも、伝達経路部ＤＫ２２による巻き取りボビン２３の回転数の方が必ず大きく（高速に）なるように、分岐部Ｂ２１での歯車比（駆動ギヤ７４ａと従動ギヤ７２ａとの歯車比）を設定している。
【００８８】
これにより、モータＭ２１が転写フィルム２１の転写動作での移動に対応した回転方向で回転した場合、クラッチ７３ａが空転して回転伝達は非実行となり、
頭出し動作における移動に対応した回転方向で回転した場合、クラッチ７３ａは非空転となって回転伝達を実行する。
そのため、転写フィルム２１の転写フレームＦの頭出し動作において転写フィルム２１にバックテンションが付与され、頭出しが高精度に実行でき、かつ安定した転写フィルム２１の移動が可能となる。
また、インクフィルム１１からのインク転写動作において転写フィルム２１にバックテンションは付与されないので、転写フィルム２１の速度変動が生じにくく、品質に影響する転写ムラは生じない。
【００８９】
本発明の実施例は、上述した構成に限定されるものではなく、本発明の要旨を逸脱しない範囲において変形例としてもよい。
【００９０】
印刷装置５１は、再転写部５２を備える例を説明したが、これに限定されず、再転写部５２を備えていないものであってもよい。
その場合の動作は、（Ａ：インクの転写動作），（Ｂ：次色転写の頭出し動作），及び（Ｄ：未使用転写フレームの頭出し動作）が該当し、各動作における効果は同様に得ることができる。
印刷装置５１は、一つのモータで二つのボビンを駆動するインクフィルム駆動部ＫＤ１１と転写フィルム駆動部ＫＤ２１との両方を備えたものとして説明したが、これに限定されない。すなわち、印刷装置５１は、インクフィルム駆動部ＫＤ１１及び転写フィルム駆動部ＫＤ２１の少なくとも一方を備えたものでもよい。
【００９１】
分岐部Ｂ１１，Ｂ１２は、それぞれ駆動ギヤ６４ａ，７４ａと従動ギヤ６２ａ，７２ａとにより構成されるものに限定されず、任意の回転部材により自由に構成してよい。
【００９２】
モータＭ１１，Ｍ２１，Ｍ２６，Ｍ４１の種類は限定されない。ステップモータ、ＤＣモータ、その他のモータを使用でき、減速機構の有無も限定されない。例えばダイレクトドライブタイプとして減速機構を備えないモータであってもよい。
印刷装置５１は、供給ボビン１２，２２及び巻き取りボビン１３，２３の回転回数を検出するセンサ又はエンコーダ（図示せず）を備えており、検出情報は制御部ＣＴにフィードバックされる。
また、他の駆動部分についても、その移動量等を検出して制御部ＣＴにフィードバックするセンサ等を、必要に応じ設けてよい。
【００９３】
実施例の印刷装置５１では、再転写動作におけるカード３１の搬送方向を、図１の右方から左方に移動させて行う例を説明したが、カード３１を左方から右方に移動させながら再転写するものであってもよい。
この場合、転写フィルム２１は（Ａ：インクの転写動作）と同じ方向に移動させる。すなわち、供給ボビン２２に巻き戻すように逆送り移動させる。
また、カード３１の搬送パスは、図１に対し左右反転した配置とする。例えば、矯正ローラ組４５は、ヒートローラ４１に対し図１の右側に配置する。
再転写印刷は、通常、重畳転写を伴わない１回の転写動作である。
そのため、（Ａ：インクの転写動作）で説明した、転写フィルム２１に付与されるバックテンションの変動による形成画像への影響は、重畳転写の場合よりも顕著に小さく、再転写においては実質的に無視できる。
従って、実施例で説明した、転写フィルム２１を巻き取りボビン２３に巻き取る順送りでの再転写動作でも十分良好な再転写が可能であるが、バックテンションの変動による影響をより小さく抑えた方が好ましい高度な要求に対応する場合は、供給ボビン２２への逆送り移動で再転写することは好ましい。
【符号の説明】
【００９４】
１１  インクフィルム
１１ａ  リボンベース、    １１ｂ  インク層、    １１ｂ１  インク組
１１ｄ  頭出しマーク
１２  供給ボビン、    １３  巻き取りボビン
１４  ガイドシャフト、    １５  インクフィルムセンサ
１６  サーマルヘッド、    １６ａ  発熱抵抗体
２１  転写フィルム（被転写フィルム）
２１ａ  フィルムベース、    ２１ｂ  剥離層、    ２１ｃ  転写用受像層
２１ｄ  フレームマーク
２２  供給ボビン、    ２３  巻き取りボビン
２４  ガイドシャフト、    ２５  フレームマークセンサ
２６  プラテンローラ
３１  カード、    ３２  スタッカ
３３  持ち上げローラ、    ３４  送り込みローラ、    ３５  搬送ローラ
３６  ストッカ
３７  通信部、    ３８  データ機器
４１  ヒートローラ、    ４２  対向ローラ
４３  矯正ヒートローラ、    ４４  矯正対向ローラ、    ４５  矯正ローラ組
５１  印刷装置、    ５２  再転写部
６１，７１  フレーム
６２，７２  中間従動軸
６２ａ，７２ａ  従動ギヤ
６２ｂ，７２ｂ  トルクリミッタ
６２ｃ，７２ｃ  ＴＲギヤ
６３，７３  ボビン従動軸
６３ａ，７３ａ  ワンウェイクラッチ（クラッチ）
６３ｂ，７３ｂ  クラッチギヤ
６４，７４  駆動軸
６４ａ，７４ａ  駆動ギヤ
Ｂ１１，Ｂ２１  分岐部
ＣＴ  制御部、    ＣＴ１  画像データ送出部
Ｄ２６  プラテン離接駆動部、    Ｄ４１  ヒートローラ駆動部
ＤＫ１１，ＤＫ１２，ＤＫ２１，ＤＫ２２  伝達経路部
Ｆ  転写フレーム
Ｊ１  インクフィルムマーク検出情報、    Ｊ２  フレームマーク検出情報
Ｊ３  転写画像情報
ＫＤ１１  インクフィルム駆動部、    ＫＤ２１  転写フィルム駆動部
Ｌａ  長さ、    Ｌａｐ，Ｌｂ  ピッチ
Ｍ１１，Ｍ２１，Ｍ２６，Ｍ４１  モータ
ＭＲ  記憶部
Ｐ  中間画像、    ＰＭ  （マゼンタインク層Ｍの）転写開始位置
ＰＴａ，ＰＴｂ  分離位置
ＳＮ１  画像データ
ＳＴ１  再転写ブロック、    ＳＴ２  供給ブロック
ＳＴ２ａ  姿勢転換ブロック、    ＳＴ３  搬出ブロック
【図１】
2016147461.tif 000003
【図２】
2016147461.tif 000004
【図３】
2016147461.tif 000005
【図４】
2016147461.tif 000006
【図５】
2016147461.tif 000007
【図６】
2016147461.tif 000008
【図７】
2016147461.tif 000009
【図８】
2016147461.tif 000010
【図９】
2016147461.tif 000011
【図１０】
2016147461.tif 000012
【図１１】
2016147461.tif 000013
【図１２】
2016147461.tif 000014